(57)【要約】【課題】  雨戸の機能、通風性及び採光性を備えた日除けの機能、網戸の機能、プライバシーの保護の機能並びに防犯性の機能を備え、且つ建物の外壁を傷めることなく取付け容易な折戸装置を提供することを目的とする。【解決手段】  日除け網戸Ａは、窓等の建物開口部Ｂの網戸框ＢＫ（図３及び図４参照）に係止手段としてのパンチアンカーＡＫを介して取付けられる取付枠ＢＷと、この取付枠ＢＷに取付けられる上下左右のガイド部Ｂ１、Ｂ２、Ｂ３Ｌ、Ｂ３Ｒと、上下ガイド部Ｂ１、Ｂ２間にスライド自在に取付けられた各戸１及び戸８、戸１Ａ及び戸８Ａからなる。  各戸１及び戸８、戸１Ａ及び戸８Ａには、それぞれ２組の複数のスラット２・・・が開閉可能に配置されている。【選択図】        図１
2006016885.tif 000002
【特許請求の範囲】
【請求項１】
建物の開口部の網戸枠に係止手段を介して後付けされる折戸装置であって、
該折戸装置の各戸は、それぞれ框と、框内に開閉可能に配置される少なくとも１組の複数のスラットと、
前記框に沿って取付けられる網目部材と、
前記框の上部に取付けられ、且つ、前記折戸装置の上部に配置された上ガイド部に沿って移動可能なハングローラーと、
前記框の下部に取付けられ、且つ、前記折戸装置の下部に配置された下ガイド部に沿って移動可能なガイドストッパーと、
前記ガイドストッパーの先端部を出没可能に軸支持し、且つ、前記折戸装置の下部の両端に配置されたピボット受けと、
前記ハングローラーを前記ピボット受けに芯合わせするため、前記折戸装置の上部の両端に配置されたハングローラーストッパーと、
前記折戸装置の各戸が折畳まれる場合に、前記ガイドストッパーが当接して各戸の平面状の姿を略二等辺三角形状に静止させる静止ストッパーと備える共に、
前記折戸の何れか一方の戸は、各戸の折畳みを規制する締りストッパーを備えることを特徴とする折戸装置。
【請求項２】
前記静止ストッパーに前記ガイドストッパーを受け入れる孔を設けたことを特徴とする請求項１に記載の折戸装置。
【請求項３】
前記各戸は、前記開口部の横幅に対して略１／２の横寸法であることを特徴とする請求項１に記載の折戸装置。
【請求項４】
前記開口部に配置されているガラス障子の外障子を開放した場合に、その戸先框とこれに対応する前記戸の框間に形成される空間を塞ぐヒレが前記框に設けられている特徴とする請求項３に記載の折戸装置。
【発明の詳細な説明】
【技術分野】
【０００１】
この発明は、集合住宅等の建物の開口部に取付けられる折戸装置であって、雨戸の機能、日除けの機能、網戸の機能、プライバシーの保護の機能並びに防犯性の機能を備えた折戸装置に関する。
【背景技術】
【０００２】
所謂分譲マンション、賃貸マンション等の集合住宅における窓開口部には、雨戸を配置できる雨戸枠がある場合は少なく、概ね次のような開口部態様に分けることができる。
第１の態様は、開口部にガラス障子用の枠と網戸用の枠が設けられており、ガラス障子用枠にガラス障子が配置され、網戸用枠に網戸が配置されている態様、
第２の態様は、開口部の防犯性を向上させるため、網戸用枠の室外側にシャッターを取付ける態様、
第３の態様は、防風、防雨、防犯、プライバシーの保護の機能を保持させつつ、通風性、採光性を発揮できる構造の折戸等が配置されている態様（例えば、特許文献１参照）である。
【０００３】
【特許文献１】特開２００３−１５５８８１（図１等）
【発明の開示】
【発明が解決しようとする課題】
【０００４】
しかし、上記各開口部態様には、次のような課題を指摘することができる。
第１の態様では、雨戸がないため防犯性に問題があり、また網戸があるものの夏季等の日照が強い季節においては日除けの機能を期待することがでず、またプライバシーの保護の機能を発揮させることができない。
第２の態様では、シャッターにより雨戸の機能、防犯性の機能、プライバシーの保護の機能があるものの、そのシャッターに通風性、採光性を備えた日除けの機能を発揮させることはできない。
第３の態様では、雨戸の機能、日除けの機能、プライバシーの保護の機能、防犯性の機能は期待できるものの、折戸等用の固定枠を建物外壁に釘等で固定する必要であり、外壁の材質によっては対応できない場合もあった。
【０００５】
そこで、本願発明では、上記各開口部態様の問題点を一挙に解決するため、雨戸の機能、通風性及び採光性を備えた日除けの機能、網戸の機能、プライバシーの保護の機能並びに防犯性の機能を備え、且つ建物の外壁を傷めることなく取付け容易な折戸装置を提供することを目的とする。
【課題を解決するための手段】
【０００６】
上記課題を解決するため、建物の開口部の網戸枠に係止手段を介して後付けされる折戸装置であって、該折戸装置の各戸は、それぞれ框と、框内に開閉可能に配置される少なくとも１組の複数のスラットと、前記框に沿って取付けられる網目部材と、前記框の上部に取付けられ、且つ、前記折戸装置の上部に配置された上ガイド部に沿って移動可能なハングローラーと、前記框の下部に取付けられ、且つ、前記折戸装置の下部に配置された下ガイド部に沿って移動可能なガイドストッパーと、前記ガイドストッパーの先端部を出没可能に軸支持し、且つ、前記折戸装置の下部の両端に配置されたピボット受けと、前記ハングローラーを前記ピボット受けに芯合わせするため、前記折戸装置の上部の両端に配置されたハングローラーストッパーと、前記折戸装置の各戸が折畳まれる場合に、前記ガイドストッパーが当接して各戸の平面状の姿を略二等辺三角形状に静止させる静止ストッパーと備える共に、前記折戸の何れか一方の戸は、各戸の折畳みを規制する締りストッパーを備えることを特徴とする折戸装置とした（請求項１に記載の発明）。
【０００７】
ここで、１組の複数枚のスラットとは、後述の揺動機構により同時にスラットの開閉動作が可能な単位を意味するが、折戸の上下框間の中框の上下にそれぞれ１組等、２組以上でもよい。
【０００８】
上記発明において、前記静止ストッパーに前記ガイドストッパーを受け入れる孔を設けたことを特徴とする（請求項２に記載の発明）。
【０００９】
上記発明において前記各戸は、前記開口部の横幅に対して略１／２の横寸法であることを特徴とする（請求項３に記載の発明）。
この発明において、前記開口部に配置されているガラス障子の外障子を開放した場合に、その戸先框とこれに対応する前記戸の框間に形成される空間を塞ぐヒレが前記框に設けられている特徴とする（請求項４に記載の発明）。
【発明の効果】
【００１０】
本発明によれば、雨戸の機能、通風性及び採光性を備えた日除けの機能、網戸の機能、プライバシーの保護の機能並びに防犯性の機能を備え、且つ建物の外壁を傷めることなく取付け容易な折戸装置を提供することができ、開口部態様の問題点を一挙に解決することができる。
また、前記静止ストッパーにより、各戸のスイングを防止することができ、さらに前記静止ストッパーにガイドストッパーを受け入れる孔を設けることで、各戸を安定的に静止させることができる。
また、前記各戸を前記開口部の横幅に対して略１／２の横寸法にすることで、従来の網戸と同様な使い勝手で、且つ、日除けの機能を発揮させることができる。
この場合、前記開口部に配置されているガラス障子の外障子を開放した場合に、その戸先框とこれに対応する前記戸の框間に形成される空間を塞ぐヒレが前記框に設けられているので、防虫機能を維持できる。
【発明を実施するための最良の形態】
【００１１】
本発明に係る折戸装置（以下、日除け網戸ともいう）について、その実施形態を図面に基づいて説明する。
図１は日除け網戸の室外側からの外観図、図２は同日除け網戸の室内側からの外観図、
図３は同日除け網戸の縦断面図、図４は同日除け網戸の横断面図、図５は同日除け網戸を構成する竪框の要部斜視図、図６は同日除け網戸の揺動機構の分解斜視図、図７（ａ）〜(ｃ)は同揺動機構の要部断面図、図８は同揺動機構の動作説明図、図９（ａ）〜(ｃ)は同日除け網戸を構成するハングローラーの正面図、側面図及び平面図、図１０（ａ）及び(ｂ)は同日除け網戸を構成するガイドストッパーの正面図及び断面図、図１１はピボット受けの取付状態図、図１２はハングローラーを規制するハングローラーストッパーの取付状態図、図１３は網目部材の取付説明図である。
上記各図及び後述の各図において、略同一の構成は同一の符号を用いて詳細な説明を省略する。
【００１２】
図１〜図４に示したように、日除け網戸Ａは、窓等の建物開口部Ｂの網戸框ＢＫ（図３及び図４参照）に係止手段としてのパンチアンカーＡＫを介して取付けられる取付枠ＢＷと、この取付枠ＢＷに取付けられる上下左右のガイド部Ｂ１、Ｂ２、Ｂ３Ｌ、Ｂ３Ｒと、上下ガイド部Ｂ１、Ｂ２間で折畳み、折戻し、且つ、スライド自在に取付けられた各戸１及び戸８、戸１Ａ及び戸８Ａからなる。
各戸１及び戸８、戸１Ａ及び戸８Ａには、それぞれ２組の複数のスラット２・・・が開閉可能に配置されている。
【００１３】
前記取付枠ＢＷは、上下左右枠ＢＷ１〜ＢＷ４からなるもので、前記パンチアンカーＡＫにネジ等で止着されている。
これら上下左右枠ＢＷ１〜ＢＷ４に前記上下左右のガイド部Ｂ１、Ｂ２、Ｂ３Ｌ、Ｂ３Ｒがネジ等で止着されており、この内、上ガイド部Ｂ１は前記上枠ＢＷ１に対して高さ寸法を調整可能に止着され、左右ガイド部Ｂ３Ｌ、Ｂ３Ｒは前記左右枠ＢＷ３、ＢＷ４に対して幅寸法を調整可能に止着されている。
【００１４】
前記上ガイド部Ｂ１は、図３に示したように本体枠Ｂ１０及びガイド枠Ｂ１１からなり、ガイド枠Ｂ１１にハングローラーＢ４(詳細は後述)が移動自在に配置されている。
一方、下ガイド部Ｂ２にはレール溝Ｂ２０が形成され、このレール溝Ｂ２０に沿ってガイドストッパーＢ５の先端部(詳細は後述)が移動可能となっている。
前記各戸１と１Ａ、戸８と８Ａは、それぞれ略同一に構成されているので、以下の実施形態では、戸１Ａを戸１に代表させて説明し、また戸８Ａを戸８に代表させて説明する。
戸１は、図１〜図４に示したように框を構成する上下框１０,１１と、左右竪框１２,１３と、これら框１０〜１３により形成された框内に、中框１４を境にそれぞれ水平方向に配列された１組の複数のスラット２が配置され、これらのスラット２を揺動させる揺動機構Ｃ(詳細は後述)を備え、その揺動機構Ｃを操作するための操作スライダー１５、１５が室内側に臨んで配置されている。
【００１５】
前記左竪框１２は、外框１２０と内框１２１を備え(図４)、前記外框１２０の上部に前記ハングローラーＢ４が取付けられ（図３参照）、その下部に前記ガイドストッパーＢ５が取付けられている（図３参照）。
前記内框１２１の中空部１２１aには、前記揺動機構Ｃを構成する第１、第２の伝達部材５、６が収納されている。
【００１６】
前記内框１２１の、前記右竪框１３に対向する側面１２１ｂには、内框１２１の上下方向に沿って、遮光片１２１ｃが突設されている。
この遮光片１２１ｃは、前記スラット２を閉じたときに、室内側の光が室外に、室外側の光が室内に通過することを防ぐもので、その詳細を図５に示す。
即ち、同図に示したように、前記遮光片１２１ｃは、前記スラット２の回転軸を前記内框１２１の中空部１２１aに臨ませるための孔１２１ｄの部分を切欠いて、内框１２１の上下方向に沿って形成されている。
上下に隣接する前記スラット２を閉じた場合には、各スラット２の回転軸の上方のスラット端部が前記孔１２１ｄの上方の遮光片１２１ｃに当接し、前記回転軸の下方のスラット端部が前記孔１２１ｄの下方の遮光片１２１ｃに当接し、遮光できるようになっている。
【００１７】
前記右竪框１３は図４に図示したように、その外框１３０の室内側に締りストッパーＢ９の操作部Ｂ５３(詳細は後述)が取付けられているが、その他の構成は前記左竪框１２と略同様であるので、詳細な説明は省略する。
【００１８】
前記戸８の右竪框８２は、前記左竪框１２と略同一に、また左竪框８３は、前記右竪框１３と略同一に形成されている。
即ち、前記左右竪框８２、８３には前記遮光片１２１ｃと同様な遮光片８２１ｃ、８３１ｃが突設されている。
【００１９】
前記スラット２は、スラット本体２Ａとスラットホルダー７からなり、前記スラット本体２Ａは図３及び図６に示したように、中央中空部２０と、この中央中空部２０の外縁２００の上下からそれぞれ内側に所定のカーブにてラウンド状に形成されている上下の羽根２２、２３を備えて、長尺状に成形されている。
前記中央中空部２０は、その断面形状が縦長の略平行四辺形状に形成されており、その長手方向の両端が前記スラットホルダー７により塞がれている。
前記羽根２２は前記中央中空部２０の略平行四辺形の一辺をそのまま上方に延出した後、約４５度に折り曲げて形成されており、この羽根２２に対し前記羽根２３は前記中央中空部２０の中心に対して点対称的に形成されている。
よって、スラット２を閉じた場合に、上下の羽根２２と２３とで重合シロが形成され、且つ、その重合シロの幅を広くとることができ、遮光に有効な構成となっている。
なお、前記羽根２２の長手方向の両端部には、前記遮光片１２１ｃ、１３１ｃに当接する後当羽根部２２０が形成され、前記羽根２３の両端部には、前記遮光片１２１ｃ、１３１ｃに当接する前当羽根部２３０が形成されている（図６参照）。
【００２０】
前記スラットホルダ７は、図６等に示したように、前記内框１２１の中空部１２１a内に臨む回転軸７０と、この回転軸７０に同軸的に固定され、且つ、内框１２１の外側面に当接する鍔部７１と、前記スラット２の側面に埋込まれる楔部７２からなっている。
なお、前記スラット２の他端を回転可能に保持するスラットホルダ７Ａ（図４参照）は、前記竪框１３に取付けられており、前記スラットホルダ７と同様に構成されている。
前記回転軸７０は、スラット２の重心位置に略一致しているので、前記操作スライダー１５の左右のスライドにより、スラット２が軽快に回転するようになっている。
なお、スラット本体２Ａの成形方法は、アルミの押出し加工でもよいし、鉄等のホーミングロールでもよい。
【００２１】
次に、前記揺動機構Ｃの構成例を、前記戸１の中框１４上方のスラット２の揺動機構に代表させて、図６に基づいて説明する。
前記揺動機構Ｃは、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
【００２２】
前記操作スライダー１５は、摘み片１５０と、この摘み片１５０を取付ける取付片１５１とスライダー本体１５２からなり、そのスライダー本体１５２が、前記中框１４に設けられたスライド枠１４２（図３）に沿って直線的に滑動できるように配置されている。
【００２３】
前記スライダー本体１５２は、前記スライド枠１４２に対応した形状であって、両側面に前記ねじりバー３を貫通させる孔１５３と、背面に前記取付片１５１が当たる凹部１５４と、前記取付片１５１をかしめて取付けるための孔１５５が設けられている。
前記孔１５３の内部には、図７に示したようにその略中央に前記孔１５３の開口を狭める壁１５６、１５６と、これらの壁１５６、１５６の先端間に形成されるスリット状の口１５７を備えている。
このスリット状の口１５７の幅は、前記ねじりバー３の厚さと略同一である。
【００２４】
前記スライダー本体１５２の壁１５６、１５６の各先端は、その横方向の断面形状がラウンド状に形成され、かつ、前記ねじりバー３の長さ方向に対して略直交に位置する（図８参照）。
よって、前記スライダー本体１５２の壁１５６、１５６は、前記ねじりバー３に対して線状に接触することで、前記スライダー本体１５１に「ガタツキ」が生じることなく、スムーズにスライドさせることができる。
また、仮に前記孔１５３をねじりバー３の「ねじれ」にそって忠実に形成すると、操作スライダー１５を操作する際に、「ガタ」が生じ、一方、全てのねじりバー３に全く同一の「ねじれ」を形成させることの困難性が解消する。
【００２５】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。
例えば、図６に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、操作スライダー１５のスライド幅に応じてスラット２の開閉角度を調整することができる。
【００２６】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００２７】
前記回転軸３２は、図６に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記内框１２１に設けられた孔１２１ｄ（図５参照）から、その内框１２１の中空部１２１aに突出され、前記第１の伝達部材５の一端５０に連結されている。
【００２８】
前記第１の伝達部材５は、内框１２１の中空部１２１aに収容され、図６に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００２９】
前記第１の伝達部材５の他端５１は、前記内框１２１の中空部１２１aに沿って配置されているバー部材４の孔４０に空転可能に取付けられている。前記バー部材４は、前記第１の伝達部材５からの回転に同調させて各スラット２を回転させるもので、各スラット２の配置間隔に応じた孔４１が設けられている。
一方、前記バー部材４の孔４１に対応するように、前記第１の伝達部材５と略同一の形状に成形された第２の伝達部材６の一端６０が、前記スラットホルダ７を介して前記内框１２１内に回転可能に配置されている。この第２の伝達部材６の他端６１は、前記バー部材４の前記各孔４１に空転可能に配置されており、第２の伝達部材６は、その一端６０を中心にして前記第１の伝達部材５と同調して回転する。
【００３０】
上記戸１と８及び戸１Ａと８Ａは、図４に示したようなヒンジＥにより、連結されている。
【００３１】
次に、上記のように構成された日除け網戸Ａの折畳機構について戸１と８を戸１Ａと８Ａに代表させて説明する。
折畳機構は図１及び図２に示したように、戸１の竪框１２と竪框８２の上下部にそれぞれ取付けられた左右のハングローラーＢ４、Ｂ４及び左右のガイドストッパーＢ５、Ｂ５と、前記左ガイドストッパーＢ５を出没可能に軸支持するピボット受けＢ６と、前記左ハングローラーＢ４と前記ピボット受けＢ６とを芯合わせするハングローラーストッパーＢ７とからなる。
【００３２】
前記左右のハングローラーＢ４、Ｂ４(以下、左ハングローラーＢ４について説明する)は、図３及び図９に示したように前記上ガイド部Ｂ１に沿って走行する車部Ｂ４０と、この車部Ｂ４０を回転可能に支持する本体Ｂ４１と、この本体Ｂ４１に回動可能に取付けられる回動軸Ｂ４２からなり、この回動軸Ｂ４２が前記竪框１２の上端に固着されている。
【００３３】
前記左右のガイドストッパーＢ５、Ｂ５(以下、左ガイドストッパーＢ５について説明する)は、前記竪框１２の下部に配置され、図１０に示したようにその先端部Ｂ５０を備えたロッド部Ｂ５１と、このロッド部Ｂ５１を昇降可能なように支持する本体Ｂ５２と、前記ロッド部Ｂ５１を昇降させる操作部Ｂ５３からなり、前記本体Ｂ５２が前記竪框１２に固着されている。
【００３４】
前記ピボット受けＢ６は、図１１に示したように、前記左ガイドストッパーＢ５のロッド部Ｂ５１の先端部Ｂ５０を出没させる穴Ｂ６０が形成された厚板状部材で形成され、前記下ガイド部Ｂ２の端部に固定されている。
【００３５】
前記ハングローラーストッパーＢ７は、図１２に示したように弾性を有する板状部材を略Ｖ字状に折曲げて形成したもので、そのＶ字部Ｂ７０が前記左ハングローラーＢ４の本体部Ｂ４１の端部を係止しており、その状態で前記ピボット受けＢ６の穴Ｂ６０と、左ハングローラーＢ４の回動軸Ｂ４２とをそれぞれ略芯出し可能にしている。
そして、略コ字状の形成されたストッパー片Ｂ７１を介して、前記上ガイド部Ｂ１の端部に固定されている。
【００３６】
つぎに、前記日除け網戸Ａを施錠する施錠構成について説明する。
この施錠構成は、前記ガイドストッパーＢ５と略同一構成の締りストッパーＢ９からなり、締りストッパーＢ９は、図２に示したようにその操作部Ｂ５３が前記竪框１３の中部及び上部にそれぞれ配置され、一方、それぞれの先端部Ｂ５０が前記上下ガイド部Ｂ１、Ｂ２のレール溝Ｂ２０に出没可能に構成されている(図２参照)。
【００３７】
次に、前記各戸１と８が折畳まれる場合に、前記ガイドストッパーＢ５の先端が当接して、各戸１と８の平面状の姿を略二等辺三角形状に静止させる静止ストッパーＳの構成例を図１３に基いて説明する。
この静止ストッパーＳは、前記ピボット受けＢ６と略同様に厚板状部材で形成され、前記下ガイド部Ｂ２の端部から所定の距離、例えば略１２ｃｍの位置に固定されている。
よって、前記各戸１と８が折畳まれる場合に、前記ガイドストッパーＢ５の先端がストッパーＳの側面に衝突することで、前記各戸１と８の重合を防止し、スイングを防止することができる。
なお、さらに前記各戸１と８の折畳みをさらに安定させるため、ストッパーＳには前記ピボット受けＢ６の穴Ｂ６０と同様な孔が形成されている（図示せず）。
【００３８】
次に、前記日除け網戸Ａの網戸構成について、図１４に基いて説明する。
前記竪框１２、１３の室外側、前記上框１０の室外側及び中框１４の上下部室外側にそれぞれ網戸取付枠Ｄが設けられ、その網戸取付枠Ｄにロッド部材Ｄ２を押し込むことで、網目部材Ｄ１を取付ける。
【００３９】
次に、上記のように構成された日除け網戸Ａの取付方法を説明する。
予め前記網戸枠Ｂｋの複数箇所にタタキ込み式のパンチアンカー（ブラケット）を打込んで網戸枠Ｂｋ挟み付ける。
それらのブラケットに前記取付枠ＢＷを固定した後、取付枠ＢＷに前記上下左右のガイド部Ｂ１、Ｂ２、Ｂ３Ｌ、Ｂ３Ｒをネジ等で止着し、各戸１と８等を組込めばよい。
よって、既存の開口部Ｂに後付け可能であって、前記取付枠ＢＷ等の固定枠を建物外壁に釘等で固定する必要もなく、外壁を毀損することもなく、外壁の材質を問題とすることもない。
【００４０】
次に、上記のように構成された日除け網戸Ａの使用例を説明する。
日除け機能、プライバシーの保護機能及び網戸機能を満たす使用例
前記操作スライダー１５をスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
前記操作スライダー１５を中間位置まで移動させると、前記スラット２が半開される。さらに前記操作スライダー１５をスライドさせると、スラット２が全開となる。
よって、太陽光線の照射方向に対応させて、スラットの開閉角度を調整できるので、日除け機能を発揮させることができる。
この場合、前記網目部材Ｄ１により、防虫機能は確保されている。
また、外部からの視線がスラット２の存在により、切断されプライバシーの保護を図ることができる。
【００４１】
雨戸機能を満たす使用例
各スラット２を閉じるときには、前記操作スライダー１５を反対方向にスライドさせればよく、この場合には雨戸機能が発揮される。
さらに、各戸１、１Ａ、８、８Ａを折畳む場合ことで、雨戸を戸袋に収納する場合と略同一の開放感を満たすことができる。
即ち先ず前記戸１の締りストッパーＢ９の操作部Ｂ５３をスライドさせて、各先端部Ｂ５０を前記上下のガイド部Ｂ１、Ｂ２から解除する。
次に、取手９を室外側に押すと、前記左ハングローラーＢ４の回動軸Ｂ４２、前記左ガイドストッパーＢ５のロッド部Ｂ５１及びこれらの延長線が中心軸となって、戸１が回転すると共に、前記右ガイドストッパーＢ５の先端部Ｂ５０が下ガイド部Ｂ２のレール溝Ｂ２０に沿って移動しつつ、ヒンジＥを中心に折畳まれる。
戸１Ａと８Ａについても同様な操作を行うことで、折畳むことができる。
なお、戸１と８及び戸１Ａと８Ａを開口部Ｂの左右端に折畳むこともできる。
例えば右端に折畳む態様では、先ず上記手順と同様の手順で、戸１Ａと８Ａを開口部Ｂの右端に折畳む。
次に戸１の左ガイドストッパーＢ５の操作部Ｂ５３をスライドさせて、先端部Ｂ５０を前記ピボット受けＢ６から解除する。
そのまま戸１と８を図２の図面上右方向に若干スライドさせた後、左ガイドストッパーＢ５の操作部Ｂ５３を逆方向にスライドさせて、その先端部Ｂ５０を再び前記下ガイド部Ｂ２に差込むようにして、戸１と８のフラツキを防ぐ。
引続き戸１と８を右端にスライドさせた後、前記戸１の締りストッパーＢ９の操作部Ｂ５３をスライドさせて、各先端部Ｂ５０を前記上下のガイド部Ｂ１、Ｂ２から解除し、前記取手９を室外側に押すことで、ヒンジＥを中心に折畳まれる。
【００４２】
前記実施形態においては、前記各戸１,８の中框１４の上下にスラットを配置していたが、框内の上部、中部或いは下部など、所定の領域に限定し、これらのスラットを揺動させる揺動機構を設けてもよい。
【００４３】
次に、図１５及び図１６に基いて、より網戸機能を高めた日除け網戸Ａ１の構成例を説明する。
日除け網戸Ａ１は、前記開口部Ｂに対して略１／２の横寸法であり、従来の網戸と同様に使用できるようになっている。
例えばガラス障子を開放した場合に、その開放領域を塞ぐように前記日除け網戸Ａ１を移動させて、網戸と同様に使用する。
なお、前記開口部Ｂに配置されているガラス障子Ｇの外障子Ｇ１を開放した場合に、その戸先框Ｇ１０とこれに対応する前記日除け網戸Ａ１の戸８の框８２間に形成される空間を塞ぐヒレＧ１１が前記框８２に設けられており、網戸機能（防虫機能）を維持できるようになっている。
その他の構成は、上記日除け網戸Ａの戸１と８と略同一であるので、詳細な説明は省略する。
【図面の簡単な説明】
【００４４】
【図１】日除け網戸の室外側正面図、
【図２】同網戸の室内側正面図、
【図３】同網戸の縦方向断面図、
【図４】同網戸の横方向の断面図、
【図５】同網戸の竪框の要部斜視図、
【図６】揺動機構の分解斜視図、
【図７】（ａ）〜(ｃ)  揺動機構の要部断面図、
【図８】揺動機構の動作説明図、
【図９】（ａ）〜(ｃ)  折畳機構のハングローラーの正面図、側面図、平面図、
【図１０】（ａ）及び(ｂ)折畳機構のガイドストッパーの断面図、要部正面図、
【図１１】ピボット受けの取付図、
【図１２】ハングローラーストッパーの取付図、
【図１３】同網戸の使用状態図、
【図１４】同網戸の網目部材の取付図、
【図１５】別例の日除け網戸の室内側正面図、
【図１６】同横断面図である。
【符号の説明】
【００４５】
Ａ  Ａ１  折戸装置（日除け網戸）
Ｂ  開口部
Ｂ１  上ガイド部                      Ｂ２  下ガイド部
Ｂ４  ハングローラー                  Ｂ５  ガイドストッパー
Ｂ６  ピボット受け                    Ｂ７  ハングローラーストッパー
Ｂ９  締りストッパー
Ｇ  ガラス障子
Ｇ１  外障子                          Ｇ１０  戸先框
Ｇ１１  ヒレ
１  ８  １Ａ  ８Ａ  戸                ２  スラット
３  ねじりバー                        ４  バー部材
５  第１の伝達部材                    ６  第２の伝達部材
７  ７Ａ  スラットホルダ              １０  上框
１１  下框                            １２  竪框
１３  竪框                            １４  中框(桟状部)
１５  操作スライダー                  ３０  一端
３１  他端                            ３２  回転軸
３３  軸受                            ４０  ４１  孔
５０  第１の伝達部材の一端            ５１  他端
６０  第２の伝達部材の一端            ６１  他端
７０  回転軸
７１  鍔部                            ７２  楔部
９  取手                              ９Ａ  緩衝部
１２０  外框                          １２１  内框
１２１a  中空部
１２１ｂ  対向する側面
１２１ｃ  １３１ｃ  遮光片
１２１ｄ  孔
１５０  摘み片                        １５１  ストッパー片
１４２  スライド枠
１５２  スライダー本体                １５３  孔
１５４  凹部                          １５５  孔
１５６、１５６  壁
１５７  スリット状の口
３２０  固定円柱部                    ３２１  回転部
３２２  ４角孔                        ３２３  段差
【図１】
2006016885.tif 000003
【図２】
2006016885.tif 000004
【図３】
2006016885.tif 000005
【図４】
2006016885.tif 000006
【図５】
2006016885.tif 000007
【図６】
2006016885.tif 000008
【図７】
2006016885.tif 000009
【図８】
2006016885.tif 000010
【図９】
2006016885.tif 000011
【図１０】
2006016885.tif 000012
【図１１】
2006016885.tif 000013
【図１２】
2006016885.tif 000014
【図１３】
2006016885.tif 000015
【図１４】
2006016885.tif 000016
【図１５】
2006016885.tif 000017
【図１６】
2006016885.tif 000018